(57)【特許請求の範囲】
【請求項１】
上下動作可能なアームと、
該アームに装着される当接部であって、該アームの下への動作によって、該当接部の少なくとも一部が水道管に当接する当接部と、
該当接部に連結され、該水道管を切断するコアドリルと、
を有するバックホウであって、
前記当接部が、
磁力によって前記水道管に該当接部を固定する磁石部を有する、
ことを特徴とするバックホウ。
【請求項２】
請求項１に記載のバックホウにおいて、
前記当接部が、前記アームに、シャフトを介して装着される、
ことを特徴とするバックホウ。
【請求項３】
請求項１または２に記載のバックホウにおいて、
前記コアドリルが、
前記当接部に支持される支柱と、
該支柱に装着され、該支柱の長手方向に移動可能であって、前記水道管に刃を対向させたドリルヘッドと、
を有する、
ことを特徴とするバックホウ。
【請求項４】
請求項１〜３のいずれか１項に記載のバックホウにおいて、
前記コアドリルに水を供給し、冷却する給水部、
をさらに有することを特徴とするバックホウ。
【請求項５】
請求項１〜３のいずれか１項に記載のバックホウにおいて、
前記コアドリルを覆い、該コアドリルの運転音の周囲への漏れを低減する防音カバー、
をさらに有することを特徴とするバックホウ。
【請求項６】
請求項１〜５のいずれか１項に記載のバックホウにおいて、
前記当接部が、
前記該水道管を把持する把持部として機能する、
ことを特徴とするバックホウ。
【請求項７】
上下動作可能なアームと、
該アームに上端が装着されるシャフトと、
該シャフトの下端に装着される当接部であって、該アームの下への動作によって、該当接部の少なくとも一部が水道管に当接する当接部と、
前記シャフトを軸として受ける軸穴を持ち、該シャフトの長手方向に昇降するリング部と、
該リング部に連結され、該リング部の昇降に伴い、同様に昇降する前記水道管を切断するコアドリルと、
を有するバックホウであって、
前記当接部が、
磁力によって前記水道管に該当接部を固定する磁石部を有する、
バックホウ。
【請求項８】
バックホウのアームの先端部の軸穴にピンを使用して回動可能に装着可能な軸穴を持つジョイント部と、
該ジョイント部の軸穴に上端が回動可能に連結されるシャフトと、
該シャフトの下端に上面がほぼ垂直に、かつ、該シャフトを軸として回動可能に、連結され、下面の少なくとも一部が水道管に当接する当接部と、
該当接部の上面にほぼ垂直に連結される支柱と、
該支柱を軸として受ける軸穴を有し、該支柱の長手方向に昇降するリング部と、
該リング部に連結され、該リング部の昇降に伴い、同様に昇降する前記水道管を切断するコアドリルと、
を有することを特徴とするバックホウ用アタッチメント。
【請求項９】
請求項８に記載のバックホウ用アタッチメントにおいて、
バックホウから油圧の供給を受け動作する油圧手段をさらに有し、
該油圧手段によって前記リング部を昇降させることによって、前記コアドリルを昇降させる、
ことを特徴とするバックホウ用アタッチメント。
【請求項１０】
請求項８または９に記載のバックホウ用アタッチメントを有するバックホウ。
【請求項１１】
上下動作可能なアームと、該アームに装着される当接部であって、該アームの下への動作によって、該当接部の少なくとも一部が水道管に当接する当接部と、該当接部に連結され、該水道管を切断するコアドリルとを有するバックホウであって、前記当接部が、磁力によって前記水道管に該当接部を固定する磁石部を有する、ことを特徴とするバックホウ、を使用した水道管切断方法であって、
土中にある水道管の少なくとも上面が露出されるまで土を掘削する掘削工程と、
前記アームを下げて、前記水道管に、前記当接部を接触させ、押圧する押圧工程と、
前記コアドリルを下げて前記水道管を切断する切断工程と、
を有する水道管切断方法。
【発明の詳細な説明】
【技術分野】
【０００１】
本発明は、バックホウ、バックホウ用アタッチメント、および、水道管切断方法に関するものである。
【背景技術】
【０００２】
高度経済成長の時代に、公共の上水道は急速に整備されてきた。そして、当時、敷設された銅管などの金属製の水道管は寿命を迎えつつある。そして、各地で耐久性に問題がある水道管が現在も使用され、水漏れ事故などが起こる可能性が高まっている。
【０００３】
よって、水道事業を行う自治体や公社などは、耐用期間を迎えた水道管を交換する水道工事を行っている。しかしながら、このような交換すべき古い水道管は数多くあり、工事の効率化が求められている。そのため、水道管などの既設菅の切断については、新たな装置や工事方法の提案がなされてきた。
【０００４】
例えば、管切断装置（特許文献１を参照されたい。）という従来技術がある。これは、カッターを水道管に当てて、円周方向に周回させていき切断する装置である。管切断装置は、管２内に縮径状態で挿入して可動アーム拡縮径駆動軸４を回転させることにより周方向に配置した複数の可動アーム５を拡径方向に移動させて管２の内壁に固定する管内拡縮径固定機構６と、管内拡縮径固定機構６の後端側に、可動アーム拡縮径駆動軸４の軸心と同軸心で回転可能に且つ管２の内周に沿うように取り付けられた架台７と、架台７に管２の軸心方向に移動可能に載置されカッター支持体８と、カッター支持体８を架台７に固定するカッター切断位置決め機構１０と、カッター支持体８に支持されたカッター３を管２の軸心方向と直交する方向に移動させるカッター管径方向移動機構１１と、カッター支持体８に支持されたカッター３を管２の内周に沿って公転させるカッター公転機構１２を備えたものである。
【先行技術文献】
【特許文献】
【０００５】
【特許文献１】特開２０１０−２６０１５５号公報
【発明の概要】
【発明が解決しようとする課題】
【０００６】
上記のようなカッターは、一般的にトルク（回転力）が足りず、水道菅を完全に水抜きして負荷がからない状態にして切断作業をする必要がある。土中の既設菅の場合には、このような水抜きが困難な場合が多い。また、カッターのトルクが一般的には弱いという欠点のため、一旦、既設菅を土中から完全に露出させる必要がある。さらに、菅の周囲を自転しながら、公転させるような複雑な機構を使用する必要があり、故障が多いなどの難点もある。
【０００７】
また、カッターなどが水道管からずれた場合に、作業員が自分の手足をカッターの刃で傷つけるなどの事故も発生し易い。さらに、カッターの騒音の問題もある。切断した水道管は、重量があり、その撤去と、新しい水道管の敷設が面倒であるといった問題もある。
【０００８】
そこで、本発明の目的は、上述した諸課題を解決したバックホウ、バックホウ用アタッチメント、および、水道管切断方法を提供することである。
【課題を解決するための手段】
【０００９】
上述した諸課題を解決すべく、第１の発明によるバックホウは、
上下動作可能（好適には、さらに、回動可能かつ旋回可能）なアームと、
該アーム（好適には先端部）に装着される当接部であって、該アームの下への動作によって、該当接部の少なくとも一部が水道管に当接する（さらに、該水道管を下方に押圧して反力を得る、或いは、該水道管を把持する）当接部と、
該当接部に連結され、該水道管を切断するコアドリルと、
を有する。
【００１０】
また、第２の発明によるバックホウは、
前記当接部が、前記アームに、シャフトを介して装着される、
ことを特徴とする。シャフトとアームは他の連結部材を介して連結してもよい。
【００１１】
また、第３の発明によるバックホウは、
前記当接部が、
磁力によって前記水道管に該当接部を固定する（前記コアドリルのずれを防止する）磁石部を有する、
ことを特徴とする。
【００１２】
また、第４の発明によるバックホウは、
前記コアドリルが、
前記当接部に支持される支柱と、
該支柱に装着され、該支柱の長手方向に移動可能であって、前記水道管に刃を対向させたドリルヘッドと、
を有する、
ことを特徴とする。
【００１３】
また、第５の発明によるバックホウは、
前記コアドリルに水を供給し、冷却する給水部、
をさらに有することを特徴とする。
【００１４】
また、第６の発明によるバックホウは、
前記コアドリルを覆い、該コアドリルの運転音の周囲への漏れを低減する防音カバー、
をさらに有することを特徴とする。
【００１５】
また、第７の発明によるバックホウは、
前記当接部が、
前記該水道管を把持する把持部として機能する、
ことを特徴とする。
【００１６】
また、第８の発明によるバックホウは、
上下動作可能（好適には、さらに、回動可能かつ旋回可能）なアームと、
該アーム（好適には先端部）に上端が装着されるシャフトと、
該シャフトの下端に装着される当接部であって、該アームの下への動作によって、該当接部の少なくとも一部が水道管に当接する（さらに、該水道管を下方に押圧して反力を得る、或いは、該水道管を把持する）当接部と、
前記シャフトを軸として受ける軸穴を持ち、該シャフトの長手方向に昇降するリング部（ドーナツ状部材）と、
該リング部に連結され、該リング部の昇降に伴い、同様に昇降する前記水道管を切断するコアドリルと、
を有する。
【００１７】
また、第９の発明によるバックホウ用アタッチメントは、
バックホウのアームの先端部の軸穴にピンを使用して回動可能に装着可能な軸穴を持つジョイント部と、
該ジョイント部の軸穴に上端が回動可能に連結される（重心によって、即ち重心を保つために回動され常にシャフトが水道菅に垂直に保持される）シャフトと、
該シャフトの下端に上面がほぼ垂直に、かつ、該シャフトを軸として回動可能に（回動によって水道菅の向きと、当接部との向きとのズレが解消される）、連結され、下面の少なくとも一部が水道管に当接する当接部と、
該当接部の上面にほぼ垂直に連結される支柱と、
該支柱を軸として受ける軸穴を有し、該支柱の長手方向に昇降するリング部（ドーナツ状部材）と、
該リング部に連結され、該リング部の昇降に伴い、同様に昇降する前記水道管を切断するコアドリルと、
を有することを特徴とする。
【００１８】
また、第１０の発明によるバックホウ用アタッチメントは、
バックホウから油圧の供給を受け動作する油圧手段をさらに有し、
該油圧手段によって前記リング部を昇降させることによって、前記コアドリルを昇降させる、
ことを特徴とする。
【００１９】
また、第１１の発明によるバックホウは、
第９または第１０の発明に記載のバックホウ用アタッチメントを有する。
【００２０】
上述したように本発明の解決手段を装置として説明してきたが、本発明はこれらに実質的に相当する方法としても実現し得るものであり、本発明の範囲にはこれらも包含されるものと理解されたい。
【００２１】
例えば、本発明を方法として実現させた第１２の発明による方法は、
上下動作可能（好適には、さらに、回動可能かつ旋回可能）なアームと、該アーム（好適には先端部）に装着される当接部であって、該アームの下への動作によって、該当接部の少なくとも一部が水道管に当接する（さらに、該水道管を下方に押圧して反力を得る、或いは、該水道管を把持する）当接部と、該当接部に連結され、該水道管を切断するコアドリルとを有するバックホウを使用した水道管切断方法であって、
土中にある水道管の少なくとも上面が露出されるまで土を掘削する掘削工程と、
前記アームを下げて、前記水道管に、前記当接部を接触させ、押圧する押圧工程と、
前記コアドリルを下げて前記水道管を切断する切断工程と、
を有する。
【発明の効果】
【００２２】
本発明によれば、バックホウを用いて十分なトルクを持つコアドリルで安全に水道管を切断することが可能となる。
【図面の簡単な説明】
【００２３】
【図１】図１は、本発明の一実施態様（実施態様１）によるバックホウの基本的な構成を示す図である。
【図２】図２は、掘削工程の段階を示す模式図である。
【図３】図３は、掘削工程の結果と、アームの下降の段階を示す模式図である。
【図４】図４は、アームの下降の段階から、水道菅への接触段階を示す模式図である。
【図５】図５は、水道菅への接触段階から、水道菅の切断段階を示す模式図である。
【図６】図６は、本発明の一実施態様（実施態様２）によるバックホウの基本的な構成を示す図である。
【図７】図７は、当接部と水道菅との接触を模式的に示す図である。
【図８】図８は、当接部の変形例を示す図である。
【図９】図９は、本発明の一実施態様（実施態様３）によるバックホウの基本的な構成を示す図である。
【図１０】図１０は、水道管切断方法の各ステップを示すフローチャートである。
【図１１】図１１は、本発明の一実施態様（実施態様４）によるバックホウの基本的な構成を示す図である。
【図１２】図１２は、実施態様２によるバックホウのアーム先端部に装着した部材をアタッチメントとして着脱可能に構成させたものを示す図である。
【図１３】図１３は、アタッチメントの変形例を示す図である。
【図１４】図１４は、図１３のアタッチメントをバックホウに装着したものを示す図である。
【図１５】図１５は、本発明の一実施態様（実施態様２）によるバックホウの変形例の構成を示す図である。
【図１６】図１６は、水道管切断方法の変形例の各ステップを示すフローチャートである。
【図１７】図１７は、２種類のアタッチメントを使って作業を行うバックホウを模式的に示した図である。
【発明を実施するための形態】
【００２４】
以降、諸図面を参照しながら、本発明の実施態様を詳細に説明する。
【００２５】
＜実施態様１＞
図１は、本発明の一実施態様（実施態様１）によるバックホウの基本的な構成を示す図である。図に示すように、バックホウＢＨ１は、上下動作可能（好適には、さらに、回動可能かつ旋回可能）なアームＡＲＭ１を有する。アームの先端部には油圧手段ＯＰ１により先端部に設けた２軸の軸受部（軸受部は２つある）の１つに動力が伝達され、１軸を中心にして、回動するように構成される。アームの先端部の軸受部の１つの軸ＡＸ１に、その軸を中心にして回動可能にシャフトＳＲ１が連結される。シャフトはその下部に連結される部材全体の重心調整によって、シャフトＳＲ１が垂直になるように回動可能に装着するのが好適である。或いは、軸ＡＸ１でアームとシャフトとが回動しないように固定して、アームＡＲＭ１の先端部への油圧伝達によって、シャフトＳＲ１が垂直になるように油圧手段ＯＰ１の操作をしてもよい。シャフトＳＲ１の下部には当接部ＣＯＮ１がシャフトＳＲ１からほぼ垂直に装着される。当接部ＣＯＮ１は、アームの下への動作によって、当接部の少なくとも一部（その下面の平端部の一部と、ボルトＶＬＴ１の下部）が水道管に当接する。さらに、該水道管を下方に押圧して反力を得る。或いは、水道管を把持する把持部（後述する）を設けてもよい。
【００２６】
当接部ＣＯＮ１から立ち上がるシャフトＳＲ１には、シャフトを軸として受ける軸穴を持ち、シャフトの長手方向に昇降するリング部ＤＮ１（ドーナツ状部材）が装着される。そして、リング部ＤＮ１にはコアドリルＣＤ１が連結され、リング部の昇降に伴い、同様に昇降する水道管を切断する。コアドリルＣＤ１は、その下部にドリルヘッドＤＨ１を含む。最終的には、ドリルヘッドＤＨ１が水道菅ＷＰ１を切断する。ドリルヘッドＤＨ１は、シャフトの長手方向に沿って移動可能であって、水道管に刃を対向させてある。本実施態様によれば、バックホウのアームの下方への押圧によって、当接部が水道菅を押さえつけ、その反力を得ているため、当接部が水道菅に固定され、最終的には、コアドリルおよびそのドリルヘッドがずれることが防止できる。よって、ずれによる作業員の怪我などを防止でき、安全な作業を行える。
【００２７】
次に、上述した図１のバックホウを用いた水道管切断工事（方法）の各工程を段階別に説明する。
【００２８】
図２は、掘削工程の段階を示す模式図である。図に示すように、段階ＰＲ１は、掘削前の地面ＧＲＤ１の下の土中に敷設された既存の水道菅ＷＰ１がある。水道菅ＷＰ１が切断対象である。そして、段階ＰＲ２は、掘削工程であって、人力または重機（バックホウなど）によって穴ＨＯＬＥ１が掘られ、水道菅ＷＰ１の少なくとも上面が露出されている。
【００２９】
図３は、掘削工程の結果と、アームの下降の段階を示す模式図である。段階ＰＲ２は、掘削工程であり、図２で説明したのと同様である。そして、段階ＰＲ２の後は段階ＰＲ３に進み、バックホウＢＨ１が水道菅ＷＰ１に対して作業可能な位置に移動し（最初から当該位置に待機していてもよい）、アームＡＲＭ１を下方に降下（移動）させて、当接部ＣＯＮ１が水道菅ＷＰ１に当接（当たって接触）させることを目指す。このとき、アームＡＲＭ１を左右に旋回させて、水道菅の切断されるべき位置にドリルヘッドＤＨ１の中心が位置するように調整する。
【００３０】
図４は、アームの下降の段階から、水道菅への接触段階を示す模式図である。ＰＲ３は、加工の段階であり、図３で説明したのと同様である。そして、段階ＰＲ３の後は段階ＰＲ４に進み、これは接触段階である。シャフトＳＲ１が軸ＡＸ１で固定され、回動しない場合は、アームＡＲＭ１の下降に伴ってシャフトＳＲ１の傾いてしまうため、油圧手段ＯＰ１により、シャフトＳＲ１が鉛直、または、水道菅ＷＰ１に垂直になるように調整することが好適である。このようにして、当接部ＣＯＮ１が当接した後も、アームＡＲＭ１を下げて、ある程度、水道菅ＷＰ１を押圧したままにして反力を得るようにする。これで、当接部ＣＯＮ１およびこれに連結されているコアドリルＣＤ１がしっかりと固定される。
【００３１】
図５は、水道菅への接触段階から、水道菅の切断段階を示す模式図である。ＰＲ４は、接触段階であり、図４で説明したのと同様である。そして、段階ＰＲ４の後は段階ＰＲ５に進み、これは切断段階である。切断段階では、コアドリルＣＤ１の作動ボタン(図示せず)を押して、ドリルヘッドＤＨ１を回転させる。そして、シャフトを軸として受ける軸穴を持ち、シャフトの長手方向に昇降するリング部ＤＮ１を下降させる。リング部の下降は、図示しないレバーで行うこともできるが、バックホウから油圧の供給を受け、それを動力として使用して下降させることも可能である。或いは、バッテリーなどから電力の供給を受け、モータで下降させてもよい。リング部に連結され、リング部の下降に伴い、同様にコアドリルおよびそのドリルヘッドＤＨ１が下降し、水道菅ＷＰ１を切断していく。コアドリルはトルクが強力であり、水道菅の残留水を抜かずに作業可能である。他のドリルの場合は水があるとトルク不足で切断できないため、コアドリルを使用することが重要である。
【００３２】
＜実施態様２＞
図６は、本発明の一実施態様（実施態様２）によるバックホウの基本的な構成を示す図である。図に示すように、バックホウＢＨ２はアームＡＲＭ２の先端部までは、図１の同様の符号のもの（アルファベット共通で数字だけ異なるもの）と同じものである。これは以降の他の実施態様でも同様である。即ち、バックホウＢＨ２は、上下動作可能（好適には、さらに、回動可能かつ旋回可能）なアームＡＲＭ２を有する。アームの先端部には油圧手段ＯＰ２により先端部に設けた２軸の軸受部（軸受部は２つある）の１つに動力が伝達され、１軸を中心にして、回動するように構成される。アームの先端部の軸受部の１つの軸ＡＸ２に、その軸を中心にして回動可能にシャフトＳＲ２が連結される。図１のそれらと同様に、回動可能としてもよいし、軸ＡＸ２でシャフトＳＲ２を固定して、油圧手段の動力による先端部のピボット動作によってシャフトＳＲ１を水道管に垂直になるように調整してもよい。
【００３３】
実施態様２では、当接部ＣＯＮ２の上面にほぼ垂直に連結される支柱ＳＰＴ２を設ける。支柱ＳＰＴ２は、下部が平坦なベース部ＢＳ２にほぼ垂直に連結され、このベース部ＢＳ２が当接部の上面にボルトで固定されている。支柱ＳＰＴ２には、支柱を軸として受ける軸穴（内部を貫通させる穴）を有し、該支柱の長手方向に昇降するリング部ＤＮ２（ドーナツ状部材）を装着する。リング部ＤＮ２に連結され、該リング部の昇降に伴い、同様に昇降する前記水道管を切断するコアドリルＣＤ２を装着する。コアドリルＣＤ２は、ドリルヘッドＤＨ２を持つ。
【００３４】
このように、支柱ＳＰＴ２、ベース部ＢＳ２、リング部ＤＮ２、コアドリルＣＤ２という構成（コアドリルユニットと呼ぶ）の利点は、市販のコアドリルの構成をそのまま流用できる場合があるからである。従って、シャフトＳＲ２、当接部ＣＯＮ２のアタッチメントを作成しておけば、コアドリルユニットを目的によって付け替えることが可能となり、便利である。また、切断対象の水道菅が深い位置にある場合は、シャフトＳＲ２をその深さの分だけ長いものに差し替えて、対応することが容易である。
【００３５】
図７は、当接部と水道菅との接触を模式的に示す図である。これは実施態様１の当接部を図示してあるが、実施態様２の場合も同様である。図７の（Ａ）は、水道菅ＷＰ１を輪切りにした断面から見た模式図であり、（Ｂ）は、当接部を上から見た模式図である。（Ａ）に示すように、当接部ＣＯＮ１は、平板と、４本のボルトＶＬＴ１といった簡便な構造である。そして、水道菅ＷＰ１とは、接触箇所ＣＣ１，ＣＣ２，Ｃ３などが接触（当接）する。（Ｂ）は上から見たものであるが、平板の接触箇所ＣＣ１は細長くなる。また、当接部ＣＯＮ１は、４本のボルトＶＬＴ１でしっかりと、水道菅ＷＰ１を挟むようにして固定される。このようにして、ドリルの位置が固定され、所望の位置で切断できるし、位置ずれによる作業員の怪我も防止できる。
【００３６】
図８は、当接部の変形例を示す図である。これらの当接部の変形例は、実施態様１，２（後述する実施態様３、４）に適用することが可能である。図８の（Ａ）は、把持部ＧＲＰ３を有する当接部ＣＯＮ３を示す。図に示すように、把持部ＧＲＰ３は、水道菅ＷＰ１を把持、即ち、挟んで保持することが可能であり、よりしっかりと固定できる。把持部ＧＲＰ３は、円弧状に湾曲しているため、水道菅との接触箇所の面積が増え、より強く水道菅と当接することが可能となる。また、２か所以上切断した後で、水道菅を把持したまま土中から引き上げたり、新規の水道菅を把持して設置したりすることが可能となる、把持部はバックホウから油圧を受けて、その油圧で、把持動作を行うことが好適である。
【００３７】
（Ｂ）は、当接部ＣＯＮ１０の下面に水道管をはめ込むことが可能なように、水道管の上側の形状にならった半円状の形状（穴）を持つ。また、この半円状の穴の部分は、磁化、または永久磁石で構成され、水道管を当接した後は、磁力によって水道管を把持することが可能である。
【００３８】
＜実施態様３＞
図９は、本発明の一実施態様（実施態様３）によるバックホウの基本的な構成を示す図である。これは実施態様１の変形例であり、異なるのは、油圧手段ＯＰ３で、リング部ＤＮ１を昇降することが可能である点である。バックホウＢＨ３の作業員が遠隔からリング部ＤＮ１、即ち、コアドリルＣＤ１およびドリルヘッドＤＨ１を昇降させて水道管を切断できるため、作業員がコアドリルの運転中やコアドリルの運転中に、コアドリルに接近しなくて済む。これにより怪我を完全に防止することが可能となる。また、コアドリルの操作スイッチもバックホウから遠隔で操作できるように、油圧や電気的に操作可能なスイッチをバックホウ運転席に設けることがさらに好適である。
【００３９】
図１０は、水道管切断方法の各ステップを示すフローチャートである。図に示すように、工程Ｓ１１では、掘削対象の水道菅（土中の既設菅）の上から、土をシャベルなどの使った人力または重機（バックホウなど）によって穴を掘り、水道菅の少なくとも上面を露出させる。水道管の下面も完全に露出させるまで掘削してもよいが、コアドリルは土があっても切断十分なトルクがあるため、そこまでしなくてよい。次に、工程Ｓ１２では、バックホウを操作して、バックホウの上下動作可能なアームを下げて、当接部の少なくとも一部を水道管に当接させる。さらに、より好適には、アームの先の当接部を水道管に押圧して反力を得る。次に、工程Ｓ１３では、コアドリルのスイッチを入れて、ドリルヘッドを回転させる。次に、工程Ｓ１４では、コアドリル（リング部）を下げていく。次に、工程Ｓ１５では、ついにコアドリルのドリルヘッドが水道菅の上面に到達し、水道管を切断する。水道管が完全に切断した後、もう一か所切断する。最後に、工程Ｓ１６では、切断した水道管を除去する。このとき、当接部が磁石で把持部を有している場合は、切断した後、そのまま把持した水道管を除去するためには、単にアームを上げればよい。
【００４０】
＜実施態様４＞
図１１は、本発明の一実施態様（実施態様４）によるバックホウの基本的な構成を示す図である。これは実施態様１の変形例であり、異なるのは、コアドリルＣＤ１を覆う防音カバーＣＶ４を設けた点である。これにより、コアドリルの運転時の騒音を低減することが可能となる。防音カバーは、防音用の建設用資材を用いることが好適である。
【００４１】
図１２は、実施態様２によるバックホウのアーム先端部に装着した部材をアタッチメントとして着脱可能に構成させたものを示す図である。図に示すように、のアーム先端部に装着した部材をアタッチメントとして構成させることができ、（Ａ）が側面図であり、（Ｂ）前面図である。シャフトＳＲ２と、当接部ＣＯＮ２とは、回転部を介して連結されており、状況に応じて、当接部が首振りをしたり、シャフトが斜めなった状態で水道管に当接したりことが可能な構造となっている。
【００４２】
図１３は、アタッチメントの変形例を示す図である。図に示すように、バックホウ用アタッチメントＡＴＣ１は、アーム先端部とシャフトＳＲ４との間には、クランク状の構造を設けてある。また、当接部ＣＯＮ４とシャフトＳＲ４との間にも連結部材を設けてある。ベース部ＢＳ４より先のリング部ＤＮ４，コアドリルＣＤ４などは他の実施態様と同様である。
【００４３】
図１４は、図１３のアタッチメントをバックホウに装着したものを示す図である。図に示すように、バックホウ用アタッチメントＡＴＣ１は、バックホウのアームＡＲＭ１に簡便に装着したり、外したりすることが可能である。
【００４４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各工程などに含まれる処理や機能などは論理的に矛盾しないように再配置可能であり、複数の手段／部やステップなどを１つに組み合わせたり、或いは分割したりすることが可能である。
【００４５】
図１５は、本発明の一実施態様（実施態様２）によるバックホウの変形例の構成を示す図である。図に示すように、バックホウＢＨ２は、アームＡＲＭ２の先端部から先の部材をアタッチメントとして着脱自在に構成させてある。よって、アタッチメントを水道管に当接させた後は、アーム先端部からアタッチメントを切り離し、アタッチメント単体で切断作業を行う。そして、切断終了後にまた、アームにアタッチメントを装着して、アタッチメントを引き上げる。或いは、上述したようにアタッチメントが把持部を含む場合は、そのまま切断した水道管を引き上げることが可能である。
【００４６】
図１６は、水道管切断方法の変形例の各ステップを示すフローチャートである。図に示すように、工程Ｓ２１では、掘削対象の水道菅（土中の既設菅）の上から、土をシャベルなどの使った人力または重機（バックホウなど）によって穴を掘り、水道菅の少なくとも上面を露出させる。水道管の下面も完全に露出させるまで掘削してもよいが、コアドリルは土があっても切断十分なトルクがあるため、そこまでしなくてよい。以降の工程Ｓ２２−Ｓ２６までは、図１０の工程Ｓ１２−Ｓ１６と同様である。異なるのは、途中の工程Ｓ２２−１、Ｓ２５−１である。これは、図１５で説明したように、アームより先の部材を水道管に当接させた後で、アームより先の部材（アタッチメント）を外して、バックホウが別の作業を行い得るように構成させたものである。切断作業終了後は、またアタッチメントをアームに装着して、後続の処理を行う。
【００４７】
図１７は、２種類のアタッチメントを使って作業を行うバックホウを模式的に示した図である。アタッチメントＡＴＣ４は、ドリルアタッチメントであり、最初は、このアタッチメントＡＴＣ４をバックホウＢＨ４のアームＡＲＭ４の先端に装着して、水道管に当接させる。そして、切断時にはバックホウＢＨ４はアタッチメントＡＴＣ４を外して他の作業をさせてもよいが、そのまま切断作業してもよい。アタッチメントＡＴＣ４を外していた場合は、アタッチメントＡＴＣ４をバックホウＢＨ４のアームＡＲＭ４の先端に装着して、このアタッチメントを持ち上げて、別の場所でこの、アタッチメントＡＴＣ４を外して、水道管除去用のマグネット単体アタッチメントＡＴＣ５をアームＡＲＭ４の先端部に連結部材（図示せず）を介して連結穴ＣＮＴ５とを連結させる。そして、磁石部ＭＧＮ５は、レバー操作によって、ワーク（水道管）
の磁力で付けたり、磁力をなくしてワークを外したりすることが可能となっている。或いは電磁石で構成させてもよい。当接部ＣＯＮ５が水道菅を吸着即ち把持して把持部として機能させることが可能である。
【符号の説明】
【００４８】
ＡＲＭ１  アーム
ＡＲＭ２  アーム
ＡＴＣ１  バックホウ用アタッチメント
ＡＸ１  軸
ＡＸ２  軸
ＢＨ１  バックホウ
ＢＨ２  バックホウ
ＢＨ３  バックホウ
ＢＳ２  ベース部
ＢＳ４  ベース部
ＣＣ１，ＣＣ２，Ｃ３  接触箇所
ＣＤ１  コアドリル
ＣＤ２  コアドリル
ＣＤ４  コアドリル
ＣＯＮ１  当接部
ＣＯＮ１０  当接部
ＣＯＮ２  当接部
ＣＯＮ３  当接部
ＣＯＮ４  当接部
ＣＶ４  防音カバー
ＤＨ１  ドリルヘッド
ＤＨ２  ドリルヘッド
ＤＮ１  リング部
ＤＮ２  リング部
ＤＮ４  リング部
ＧＲＤ１  地面
ＧＲＰ３  把持部
ＨＯＬＥ１  穴
ＯＰ１  油圧手段
ＯＰ２  油圧手段
ＯＰ３  油圧手段
ＰＲ１  段階
ＰＲ２  段階
ＰＲ３  段階
ＰＲ４  段階
ＰＲ５  段階
Ｓ１１  工程
Ｓ１２  工程
Ｓ１３  工程
Ｓ１４  工程
Ｓ１５  工程
Ｓ１６  工程
ＳＰＴ２  支柱
ＳＲ１  シャフト
ＳＲ２  シャフト
ＳＲ４  シャフト
ＶＬＴ１  ボルト
ＷＰ１  水道菅
【図１】
0006650192.tif 000002
【図２】
0006650192.tif 000003
【図３】
0006650192.tif 000004
【図４】
0006650192.tif 000005
【図５】
0006650192.tif 000006
【図６】
0006650192.tif 000007
【図７】
0006650192.tif 000008
【図８】
0006650192.tif 000009
【図９】
0006650192.tif 000010
【図１０】
0006650192.tif 000011
【図１１】
0006650192.tif 000012
【図１２】
0006650192.tif 000013
【図１３】
0006650192.tif 000014
【図１４】
0006650192.tif 000015
【図１５】
0006650192.tif 000016
【図１６】
0006650192.tif 000017
【図１７】
0006650192.tif 000018